(57)【要約】【課題】拡散変調回路の構成をシンプルにする。【解決手段】拡散変調回路に、送信データＲｅ（Ｓ），Ｉｍ（Ｓ）のレベルを設定するマッピング回路２０６を備えている。マッピング回路２０６は、送信データＲｅ（Ｓ），Ｉｍ（Ｓ）のレベルを、乗算回路２０２の出力信号を実数成分とし乗算回路２０３の出力信号を虚数成分とする複素信号Ｓ（ｉ）の位相を−４５°回転させた複素信号Ｓ（１−ｊ）と送信データＩを実数成分とし送信データＱを虚数成分とする複素信号（Ｉ＋ｊＱ）とを複素乗算して得られる複素信号Ｓｓｐの実数成分及び虚数成分をそれぞれ１／√２倍したレベルに、設定する。マッピング回路２０６は、複素乗算を実際に行わなくても送信データＲｅ（Ｓ），Ｉｍ（Ｓ）のレベルを設定できるので、構成が簡素化できる。【選択図】図１
2008301439.tif 000002
【特許請求の範囲】
【請求項１】
入力される第１の送信データ及び入力される第２の送信データに対して符号拡散処理を行い、キャリアの同相成分としての第１の出力データとそれに直交する直交成分としての第２の出力データを生成する拡散変調回路であって、
前記第１の送信データ及び前記第２の送信データを符号拡散するための第１の拡散符号列を生成する第１の拡散符号生成手段と、
前記第１の送信データ及び前記第２の送信データを符号拡散するための第２の拡散符号列を生成する第２の拡散符号生成手段と、
逐次入力される前記第１の拡散符号列のレベル及び前記第２の拡散符号列のレベルに応じて、前記第１の出力データ及び前記第２の出力データのレベルを、前記第１の送信データのレベル、該第１の送信データの極性を反転させたデータのレベル、前記第２の送信データのレベル、或は該第２の送信データの極性を反転させたデータのレベルのうちから選択してそれぞれ設定するマッピング回路と、
を備えることを特徴とする拡散変調回路。
【請求項２】
前記マッピング回路により、前記第１の拡散符号列のレベル及び前記第２の拡散符号列のレベルに応じて設定する前記第１の出力データのレベル及び前記第２の出力データのレベルは、
前記第１の拡散符号列を実数成分とし前記第２の拡散符号列を虚数成分とする第１の複素信号の位相を±４５ｎ°（ｎは、正の奇数を示す）回転させた第２の複素信号と前記第１の送信データを実数成分とし前記第２の送信データを虚数成分とする第３の複素信号とを複素乗算して得られる第４の複素信号の実数成分及び虚数成分をそれぞれ１／√２倍したレベルに相当することを特徴とする請求項１に記載の拡散変調回路。
【請求項３】
前記マッピング回路は、ゲート回路の組み合わせで構成されていることを特徴とする請求項１または２に記載の拡散変調回路。
【請求項４】
符号拡散されて入力されたキャリアの同相成分としての第１の受信データとそれに直交する直交成分としての第２の受信データとに対して逆符号拡散処理を行い、実数成分としての第１の出力データと虚数成分としての第２の出力データを生成する逆拡散変調回路であって、
前記第１の受信データ及び前記第２の受信データを逆符号拡散するための第１の拡散符号列を生成する第１の拡散符号生成手段と、
前記第１の受信データ及び前記第２の受信データを逆符号拡散するための第２の拡散符号列を生成する第２の拡散符号生成手段と、
逐次入力される前記第１の拡散符号列のレベル及び前記第２の拡散符号列のレベルに応じて、前記第１の出力データ及び前記第２の出力データのレベルを、前記第１の受信データのレベル、該第１の受信データの極性を反転させたデータのレベル、前記第２の受信データのレベル、或は該第２の受信データの極性を反転させたデータのレベルのうちから選択してそれぞれ設定するマッピング回路と、
を備えることを特徴とする逆拡散変調回路。
【請求項５】
前記マッピング回路により、前記第１の拡散符号列のレベル及び前記第２の拡散符号列のレベルに応じて設定する前記第１の出力データのレベル及び前記第２の出力データのレベルは、
前記第１の拡散符号列を実数成分とし前記第２の拡散符号列を虚数成分とする第１の複素信号の位相を±４５ｎ°（ｎは、正の奇数を示す）回転させた第２の複素信号と前記第１の受信データを実数成分とし前記第２の受信データを虚数成分とする第３の複素信号とを複素乗算して得られる第４の複素信号の実数成分及び虚数成分をそれぞれ１／√２倍したレベルに相当することを特徴とする請求項４に記載の逆拡散変調回路。
【請求項６】
前記マッピング回路は、ゲート回路の組み合わせで構成されていることを特徴とする請求項４または５に記載の逆拡散変調回路。
【発明の詳細な説明】
【技術分野】
【０００１】
本発明は、拡散変調回路及び逆拡散変調回路に関するものである。
【背景技術】
【０００２】
従来のCDMA(Code Division Multiple Access)変調を行う通信方式では、送信データを、元の送信データ信号に比べて帯域の広い信号に変換する変調を行っている。その特徴は、干渉波や妨害波から通信信号を守ると共に、秘密性を高くする。
【０００３】
ＣＤＭＡ変調を行う拡散変調回路については、例えば特許文献１，２に記載されたものがある。
【特許文献１】特開２００４−２３５８０３号公報
【特許文献２】特表２００１−５４１１９９号明細書
【０００４】
一方、データの送受信をより、高速に行うために、Ｗ−ＣＤＭＡ（Wideband-Code Division Multiple Access）方式の通信装置の仕様が、３ＧＰＰ（Third Generation Partnership Project）によって作成されている。
図８は、Ｗ−ＣＤＭＡ方式の移動体通信端末の送信信号処理系の概要を示す構成図である。
図９は、図８中の拡散変調部１０５を示す図である。
従来考えられたＷ−ＣＤＭＡ方式の移動体通信端末の送信信号処理系は、図８のように、拡散処理回路（Spreading）１０１〜１０３と、信号多重回路（Σ）１０４と、拡散変調部１０５と、バンドパスフィルタ（Pulse-shaping）１０６とを備える。
上位レイヤから送信すべきデータは、物理チャネルへマッピングされる。マッピングされた送信データの種類は、ＤＰＤＣＨｓ、ＤＰＣＣＨ、ＨＳ−ＤＰＣＣＨ、Ｅ−ＤＰＤＣＨｓ、Ｅ−ＤＰＣＣＨ等となる。物理チャネルの送信データに対して、拡散処理回路１０１〜１０３で拡散処理が行われる。拡散処理が行われた結果の信号は、信号多重回路１０４で、Ｉ軸及びＱ軸の２軸で表現される複素信号としてマッピングされ多重される。
【０００５】
拡散変調部１０５は、複素拡散の同相成分用のスクンランブリングコードｃ１と直交成分用のスクランブリングコードｃ２を生成するスクンランブリングコード発生回路１０７と、スクランブリングコードｃ２を１／２に間引きする間引回路１０８と、チップごとに“１”と“−１”とを繰り返す信号Ｗ１と間引回路１０８の出力信号との積を取る乗算回路１０９とを備えている。
【０００６】
この拡散変調部１０５には、さらに、乗算回路１１０，１１１と、加減算回路１１２，１１３と、乗算回路１１４，１１５とが設けられている。
乗算回路１１０は、信号多重回路１０４から与えられた複素信号の虚数成分に相当するＱ信号と乗算回路１０９の出力信号との積を求める。乗算回路１１１は、信号多重回路１０４から与えられた複素信号の実数成分に相当するＩ信号と乗算回路１０９の出力信号との積を求める。
加減算回路１１２は、Ｉ信号から乗算回路１１０の出力信号を減算する。乗算回路１１３は、Ｑ信号と乗算回路１１１の出力信号とを加算する。
【０００７】
乗算回路１１４は、加減算回路１１２の出力信号とスクランブルコードＣ１との積を求め、複素信号Ｓの実数成分Ｒｅ（Ｓ）とし出力する。
乗算回路１１５は、加減算回路１１３の出力信号とスクランブルコードＣ１との積を求め、複素信号Ｓの虚数成分Ｉｍ（Ｓ）とし出力する。
複素信号Sは、その後バンドパスフィルタ１０６で濾波されて図示しないアナログの変調回路へ出力される。
【０００８】
以上のように、拡散変調部１０５は、スクランブリングコード回路１０７で生成された信号により、送信データの拡散変調を行う。
拡散変調部１０５の出力する複素信号Ｓに対して、下記特許文献３には、複素信号Ｓを４５°回転させると共に、その絶対値を１／√２倍にした複素信号を出力する、２種類の周波数拡散変調回路が示されている。
【特許文献３】特許第３１１６９２３号明細書
【０００９】
図１０及び図１１は、特許文献３に示された従来の周波数拡散変調回路をそれぞれ示す構成図であり、図１０及び図１１における共通する要素には、共通の符号が付されている。
図１０の周波数拡散変調回路は、送信データごとに設定される拡散コードＣｃｈ１〜Ｃｃｈ３とスクランブリングコードＰＮＩとを乗算する乗算回路３５〜３７と、送信データごとに設定される拡散コードＣｃｈ４〜Ｃｃｈ７とインバータ４３を介したスクランブリングコードＰＮＱとを乗算する乗算回路３８〜４１と、各送信データと各乗算回路３５〜３７，３８〜４１の出力との乗算を行う乗算回路８〜１０，１１〜１４と、各乗算回路８〜１０，１１〜１４の出力に応じた所定の値を出力する係数回路１５〜１７，１８〜２１と、各係数回路１５〜１７の出力を加算する加算回路２２と、各係数回路１８〜２１の出力を加算する加算回路２３と、スクランブリングコードＰＮＩとインバータ４３を介したスクランブリングコードＰＮＱとを乗算する乗算回路４２と、乗算回路４２の出力に基づいて加算回路２２または加算回路２３の出力信号を選択するセレクタ３３，３４とを、備えている。
図１１の周波数拡散変調回路は、乗算回路３５〜３７がスクランブリングコードＰＮＩと送信データとをそれぞれを乗算し、乗算回路３８〜４１がインバータ４３を介したスクランブリングコードＰＮＱと送信データとを乗算し、乗算回路８〜１０，１１〜１４が各乗算回路３５〜３７，３８〜４１の出力と拡散コードＣｃｈ１〜Ｃｃｈ７とを乗算する構成であり、他の構成は、図１０の周波数拡散変調回路と同様である。
【発明の開示】
【発明が解決しようとする課題】
【００１０】
図８に示した拡散変調回路１０５は、内部の各信号を組み合わせた信号と、送信データである信号多重回路１０４から与えられた複素信号との複素乗算を行っていることになり、乗算回路や加減算回路が多数入り込み、複雑な構成になっている。そのため、回路スキューが発生しやすく、また、消費電流の削減も困難であった。拡散変調回路と同様の構成となる逆拡散変調回路についても、同様の問題があった。
【００１１】
また、図１０及び図１１の周波数拡散変調回路では、加算回路２２，２３の出力側がセレクタ３３，３４となって、回路構成を簡素化することができるが、送信データ、或は送信データごとに設定された拡散コードとスクランブリングコードとを乗算する乗算回路３５〜４１等が必要であり、回路構成の簡素化が不十分であった。
【００１２】
本発明は、シンプルな構成の拡散変調回路及び逆拡散変調回路を実現することを目的とする。
【課題を解決するための手段】
【００１３】
上記目的を達成するために、本発明の第１の観点に係る拡散変調回路は、
入力される第１の送信データ及び入力される第２の送信データに対して符号拡散処理を行い、キャリアの同相成分としての第１の出力データとそれに直交する直交成分としての第２の出力データを生成する拡散変調回路であって、
前記第１の送信データ及び前記第２の送信データを符号拡散するための第１の拡散符号列を生成する第１の拡散符号生成手段と、
前記第１の送信データ及び前記第２の送信データを符号拡散するための第２の拡散符号列を生成する第２の拡散符号生成手段と、
逐次入力される前記第１の拡散符号列のレベル及び前記第２の拡散符号列のレベルに応じて、前記第１の出力データ及び前記第２の出力データのレベルを、前記第１の送信データのレベル、該第１の送信データの極性を反転させたデータのレベル、前記第２の送信データのレベル、或は該第２の送信データの極性を反転させたデータのレベルのうちから選択してそれぞれ設定するマッピング回路と、
を備えることを特徴とする。
【００１４】
尚、前記マッピング回路により、前記第１の拡散符号列のレベル及び前記第２の拡散符号列のレベルに応じて設定する前記第１の出力データのレベル及び前記第２の出力データのレベルは、
前記第１の拡散符号列を実数成分とし前記第２の拡散符号列を虚数成分とする第１の複素信号の位相を±４５ｎ°（ｎは、正の奇数を示す）回転させた第２の複素信号と前記第１の送信データを実数成分とし前記第２の送信データを虚数成分とする第３の複素信号とを複素乗算して得られる第４の複素信号の実数成分及び虚数成分をそれぞれ１／√２倍したレベルに相当してもよい。
【００１５】
また、前記マッピング回路は、ゲート回路の組み合わせで構成されてもよい。
【００１６】
上記目的を達成するために、本発明の第２の観点に係る逆拡散変調回路は、
符号拡散されて入力されたキャリアの同相成分としての第１の受信データとそれに直交する直交成分としての第２の受信データとに対して逆符号拡散処理を行い、実数成分としての第１の出力データと虚数成分としての第２の出力データを生成する逆拡散変調回路であって、
前記第１の受信データ及び前記第２の受信データを逆符号拡散するための第１の拡散符号列を生成する第１の拡散符号生成手段と、
前記第１の受信データ及び前記第２の受信データを逆符号拡散するための第２の拡散符号列を生成する第２の拡散符号生成手段と、
逐次入力される前記第１の拡散符号列のレベル及び前記第２の拡散符号列のレベルに応じて、前記第１の出力データ及び前記第２の出力データのレベルを、前記第１の受信データのレベル、該第１の受信データの極性を反転させたデータのレベル、前記第２の受信データのレベル、或は該第２の受信データの極性を反転させたデータのレベルのうちから選択してそれぞれ設定するマッピング回路と、
を備えることを特徴とする。
【００１７】
尚、前記マッピング回路により、前記第１の拡散符号列のレベル及び前記第２の拡散符号列のレベルに応じて設定する前記第１の出力データのレベル及び前記第２の出力データのレベルは、
前記第１の拡散符号列を実数成分とし前記第２の拡散符号列を虚数成分とする第１の複素信号の位相を±４５ｎ°（ｎは、正の奇数を示す）回転させた第２の複素信号と前記第１の受信データを実数成分とし前記第２の受信データを虚数成分とする第３の複素信号とを複素乗算して得られる第４の複素信号の実数成分及び虚数成分をそれぞれ１／√２倍したレベルに相当してもよい。
【００１８】
また、前記マッピング回路は、ゲート回路の組み合わせで構成されてもよい。
【発明の効果】
【００１９】
本発明によれば、複素乗算を行うための乗算回路や加減算回路を用いなくても、拡散変調回路や逆拡散変調回路を構成できるので、構成を簡素化できる。
【発明を実施するための最良の形態】
【００２０】
以下、図面に基づき、本発明の実施の形態について詳細に説明する。
［第１の実施形態］
図１は、本発明の第１の実施形態に係る拡散変調回路２００を示す構成図である。
【００２１】
この拡散変調回路２００は、Ｗ−ＣＤＭＡ方式の通信装置に組込まれ、入力された第１の送信データＩ及び入力された第２の送信データＱに対して符号拡散処理を行い、キャリアの同相成分としての第１の出力データＲｅ（Ｓ）とそれに直交する直交成分としての第２の出力データＩｍ（Ｓ）を生成する。
ここで、送信データＩは、チャネルごとの送信データをチャネライズコードで拡散して合成したデータである。送信データＱは、チャネルごとの送信データ及び制御データをチャネライズコードで拡散して合成したデータである。
【００２２】
拡散変調回路２００は、スクンランブリングコード発生回路２０１を備えている。スクランブリングコード発生回路２０１は、生成多項式の
ｘ＝X25+X3+1
ｙ＝X25+X3+X2+X+1
から導びかれるゴールド系列のスクランブリングコードｃ１及びｃ２を発生する。スクランブリングコードｃ１は、上記式のｙ及びｘの排他的論理和をとったコードであり、スクランブリングコードｃ２は、スクランブリングコードｃ１よりも、１６．７７７２３２チップ分遅れたコードである。
【００２３】
スクランブリングコード発生回路２０１には、乗算回路２０２の一方の入力端子と乗算回路２０３の一方の入力端子と、間引回路２０４とが接続されている。
間引回路２０４は、スクランブリングコードＣ２を１／２に間引きした信号Ｃ２’を出力する回路である。間引回路２０４の出力端子は、乗算回路２０５の一方の入力端子に接続されている。乗算回路２０５の他方の入力端子には、チップごとに“１”と“−１”の値を繰り返す信号Ｗ１が入力されている。乗算回路２０５は、間引回路２０４の出力信号Ｃ２’と信号Ｗ１との積である積信号Ｃ２’Ｗ１を生成する。
【００２４】
乗算回路２０５の出力端子が、乗算回路２０３の他方の入力端子に接続されている。乗算回路２０３は、スクランブリングコードＣ１と、乗算回路２０５の出力する積信号Ｃ２’Ｗ１との積となる積信号Ｃ１Ｃ２’Ｗ１（＝Ｂ）を第２の拡散符号列として生成する。
【００２５】
乗算回路２０２の他方の入力端子には、チップごとに“１”を繰り返す信号Ｗ０が入力されている。乗算回路２０２は、スクランブリングコードＣ１と信号Ｗ０との積である積信号Ｃ１Ｗ０（＝Ａ）を第１の拡散符号列として生成する。
【００２６】
この拡散変調回路２００には、さらに、マッピング回路２０６が設けられている。マッピング回路２０６には、第１の送信データＩと第２の送信データＱと積信号Ｃ１Ｃ２’Ｗ１と積信号Ｃ１Ｗ０とが入力される。マッピング回路２０６は、積信号Ｃ１Ｃ２’Ｗ１のレベルと積信号Ｃ１Ｗ０のレベルとに基づき、出力データＲｅ（Ｓ）及び出力データＩｍ（Ｓ）のレベルを、送信データＩのレベル、送信データＩの極性を反転させたデータのレベル、送信データＱのレベル、或は送信データＱの極性を反転させたデータのレベルのうちから選択してそれぞれ設定する。マッピング回路２０６は、複数のゲート回路を組合わせることで構成することができる。
【００２７】
拡散変調回路２００の後段には、各出力データＲｅ（Ｓ）及び出力データＩｍ（Ｓ）の波形整形を行う図示しないフィルタ、図示しない直交変調器、図示しない利得制御増幅器、図示しない電力増幅器、図示しないアンテナ等が接続される。
【００２８】
以下に、マッピング回路２０６の設定する出力データＲｅ（Ｓ）及び出力データＩｍ（Ｓ）のレベルについて、説明する。
積信号Ｃ１Ｗ０を実数成分とし、積信号Ｃ１Ｃ２’Ｗ１を虚数成分とする第１の複素信号Ｓ（ｉ）は、次のように表される。
Ｓ（ｉ）＝Ｃ１（ｉ）（Ｗ０＋ｊＣ２’・Ｗ１（ｉ））
複素信号Ｓ（ｉ）の位相を例えば−４５°回転させた第２の複素信号Ｓ（１−ｊ）は、
Ｓ（１−ｊ）＝Ｃ１（Ｗ０＋ｊＣ２’・Ｗ１）(１―ｊ）
＝Ｃ１（Ｗ０＋jＣ２’Ｗ１）（１―ｊ）
＝Ｃ１（Ｗ０＋jＣ２’Ｗ１−ｊＷ０＋Ｃ２’Ｗ１）
＝Ｃ１｛Ｗ０＋Ｃ２’Ｗ１−ｊ（Ｗ０−Ｃ２’Ｗ１）｝
となる。
【００２９】
ここで、Ｍ＝ａ＋ｊｂ＝ｍ・（ｃｏｓθ＋ｊｓｉｎθ）という複素信号をおくと、複素信号Ｓ(１―ｊ）は以下に対応することになる。
ｍ・ｃｏｓθ＝Ｃ１Ｗ０＋Ｃ１Ｃ２’Ｗ１
ｍ・ｓｉｎθ＝−Ｃ１Ｗ０＋Ｃ１Ｃ２’Ｗ１
ここで、積信号Ｃ１Ｗ０及び積信号Ｃ１Ｃ２’Ｗ１のとりうるレベルに対して、ｍ・ｃｏｓθ、ｍ・ｓｉｎθ、θ及びｍの値の求める。
【００３０】
図２は、複素信号Ｓ(１―ｊ）のｍ・ｃｏｓθ、ｍ・ｓｉｎθ、θ及びｍの値
を示す図である。
積信号Ｃ１Ｗ０が１、積信号Ｃ１Ｃ２’Ｗ１が１のとき、ｍは２となり、ｍ・ｃｏｓθは２となり、ｍ・ｓｉｎθは０となり、角度θは０°となる。
積信号Ｃ１Ｗ０が１、積信号Ｃ１Ｃ２’Ｗ１が−１のとき、ｍは２となり、ｍ・ｃｏｓθは０となり、ｍ・ｓｉｎθは−２となり、角度θは２７０°となる。
積信号Ｃ１Ｗ０が−１、積信号Ｃ１Ｃ２’Ｗ１が１のとき、ｍは２となり、ｍ・ｃｏｓθは０となり、ｍ・ｓｉｎθは２となり、角度θは９０°となる。
積信号Ｃ１Ｗ０が−１、積信号Ｃ１Ｃ２’Ｗ１が−１のとき、ｍは２となり、ｍ・ｃｏｓθは−２となり、ｍ・ｓｉｎθは０となり、角度θは１８０°となる。
【００３１】
角度θは、複素信号Ｓ(１―ｊ）の符号点の原点からの方向を示している。角度θが０°，９０°，１８０，２７０°となるので、複素信号Ｓ(１―ｊ）の符号点は、複素平面の虚軸上または実軸上にくる。
【００３２】
複素信号Ｓ（１−ｊ）に対して、送信データＩを実数成分とし送信データＱを虚数成分とする第３の複素信号（I＋ｊ・Q）を複素乗算して得られる第４の複素信号Ｓｓｐは、次のように表される。
Ｓｓｐ＝ｍ・（ｃｏｓθ＋ｊ・ｓｉｎθ）（I＋ｊ・Q）
【００３３】
ここで、積信号Ｃ１Ｗ０及び積信号Ｃ１Ｃ２’Ｗ１のとりうるレベルに対して複素信号Ｓ（１−Ｊ）の角度θが変化し、角度θが変化することにより、複素信号Ｓｓｐも変化する。
【００３４】
この複素信号Ｓｓｐのとりうる値を整理すると、次のようになる。
・θ＝０°の時、
Ｓｓｐ＝Ｒｅ（Ｓ）＋ｊＩｍ（Ｓ）＝２・（１−ｊ・０）（Ｉ＋ｊ・Q）
＝２・（Ｉ＋ｊ・Q）
・θ＝２７０°の時、
Ｓｓｐ＝Ｒｅ（Ｓ）＋ｊＩｍ（Ｓ）＝２・（０−ｊ・１）（Ｉ＋ｊ・Q）
＝２・（Q−ｊ・Ｉ）
・θ＝９０°の時、
Ｓｓｐ＝Ｒｅ（Ｓ）＋ｊＩｍ（Ｓ）＝２・（０＋ｊ・１）（Ｉ＋ｊ・Q）
＝２・（−Q＋ｊ・Ｉ）
・θ＝１８０°の時、
Ｓｓｐ＝Ｒｅ（Ｓ）＋ｊＩｍ（Ｓ）＝２・（−１＋ｊ・０）（Ｉ＋ｊ・Q）
＝２・（−Ｉ−ｊ・Q）
【００３５】
従って、複素信号Ｓｓｐのとる値の変化を、積信号Ｃ１Ｗ０及び積信号Ｃ１Ｃ２’Ｗ１の各レベルに対応させて示すと、図３のようになる。
図３は、複素乗算した結果の複素信号Ｓｓｐのとる値の説明図である。
【００３６】
マッピング回路２０６は、逐次入力される積信号Ｃ１Ｗ０及び積信号Ｃ１Ｃ２’Ｗ１の値に基づいて、図３の対応するＲｅ（Ｓ）及びＩｍ（Ｓ）のレベルを出力データとして出力する。つまり、マッピング回路２０６は、複素乗算を行わずに、出力データＲｅ（Ｓ）及び出力データＩｍ（Ｓ）を出力する。
【００３７】
出力データＲｅ（Ｓ）及び出力データＩｍ（Ｓ）で示す符号点の原点からの距離は、複素乗算を行った場合の複素信号Ｓの振幅の１／√２となるが、拡散変調回路２００の後段側に接続される利得制御増幅器によって利得が制御され、受信側に送信する信号が劣化することはない。
【００３８】
以上のように、本実施形態の拡散変調回路２００は、マッピング回路２０６を備え、マッピング回路２０６に積信号Ｃ１Ｗ０及び積信号Ｃ１Ｃ２’Ｗ１を与えると、マッピング回路２０６が、複素乗算を行わずに、出力データＲｅ（Ｓ）及び出力データＩｍ（Ｓ）を出力する。即ち、不要な乗算回路や加減算回路を持たなくてもよい構成にしている。そのため、構成がシンプルとなると共に、回路スキューの発生も抑制することができる。また、構成がシンプルになることにより、消費電力の低減も可能である。さらに、出力データＲｅ（Ｓ）及びＩｍ（Ｓ）が、送信データＩ，Ｑ或はこれらに負の符号がついたものとなるので、ビット数の削減になり、後段のフィルタ等の回路規模を小さくできるという効果も期待できる。
尚、マッピング回路２０６は、積信号Ｃ１Ｗ０を実数成分とし、積信号Ｃ１Ｃ２’Ｗ１を虚数成分とする複素信号Ｓ（ｉ）の位相を−４５°回転させた複素信号Ｓ（１−ｊ）から導かれる出力データＲｅ（Ｓ），Ｉｍ（Ｓ）を出力するが、複素信号Ｓ（ｉ）の位相を＋４５°回転させた複素信号Ｓ（１＋ｊ）から導かれる出力データＲｅ（Ｓ），Ｉｍ（Ｓ）を出力してもよい。
【００３９】
図４は、複素信号Ｓ（ｉ）の位相を＋４５°回転させた場合の出力データのレベルを示す図であり、図３に対応する図である。
この場合の出力データＲｅ（Ｓ），Ｉｍ（Ｓ）は、積信号Ｃ１Ｗ０及び積信号Ｃ１Ｃ２’Ｗ１のレベルに対して、図４にＲｅ（Ｓ），Ｉｍ（Ｓ）として示すデータとなる。
【００４０】
［第２の実施形態］
図５は、本発明の第２の実施形態に係る拡散変調回路３００を示す図である。
【００４１】
この拡散変調回路３００は、スクンランブリングコード発生回路３０１と乗算回路３０２と間引回路３０３と、乗算回路３０４と、マッピング回路３０５とを備える。
【００４２】
スクンランブリングコード発生回路３０１及び間引回路３０３は、第１の実施形態のスクンランブリングコード発生回路２０１及び間引回路２０３と同様のものである。スクンランブリングコード発生回路３０１の発生するスクランブリングコードＣ１は、乗算回路３０２に与えられる。乗算回路３０２には、チップごとに“１”を繰り返す信号Ｗ０が入力され、乗算回路３０２がスクランブリングコードＣ１と信号Ｗ０との積である積信号Ｃ１Ｗ０（＝Ａ）を第１の拡散符号列として求める。
【００４３】
間引回路３０３出力する、スクランブリングコードＣ２を１／２に間引きした信号Ｃ２’は、乗算回路３０４に与えられる。乗算回路３０４には、さらに、
チップごとに“１”と“−１”とを交互に繰り返す信号Ｗ１が入力されている。乗算回路３０４は、信号Ｗ１と間引回路３０３の出力信号Ｃ２’との積である積信号Ｃ２’Ｗ１（＝Ｂ）を第２の拡散符号列として求める。
【００４４】
マッピング回路３０５は、第１の出力データＲｅ（Ｓ）及び第２の出力データＩｍ（Ｓ）を出力する回路であり、マッピング回路３０５には、第１の送信データＩと第２の送信データＱと積信号Ｃ１Ｗ０と積信号Ｃ２’Ｗ１とが入力される。
【００４５】
マッピング回路３０５は、積信号Ｃ２’Ｗ１のレベルと積信号Ｃ１Ｗ０のレベルとに基づき、出力データＲｅ（Ｓ）及び出力データＩｍ（Ｓ）のレベルを、送信データＩのレベル、送信データＩの極性を反転させたデータのレベル、送信データＱのレベル、或は送信データＱの極性を反転させたデータのレベルのうちから選択してそれぞれ設定して出力する。
【００４６】
図６は、複素乗算した結果の複素信号Ｓｓｐのとる値の説明図であり、図３に対応している。
マッピング回路３０５の設定する出力データＲｅ（Ｓ），Ｉｍ（Ｓ）のレベルは、積信号Ｃ１Ｗ０を実数成分とし積信号Ｃ２’Ｗ１を虚数成分とする複素信号Ｓ（ｉ）の位相を−４５°回転させた複素信号Ｓ（１−ｊ）と送信データＩを実数成分とし送信データＱを虚数成分とする第３の複素信号（Ｉ＋ｊＱ）とを複素乗算して得られる第４の複素信号Ｓｓｐ（＝ｍ・（Ｒｅ（Ｓ）＋ｊＩｍ（Ｓ）））の実数成分及び虚数成分をそれぞれ１／２倍したレベルである。
【００４７】
以上のように、本実施形態の拡散変調回路３００についても、第１の実施形態と同様に、マッピング回路３０６を備え、不要な乗算回路や加減算回路を持たなくてもよい構成にしている。そのため、構成がシンプルとなると共に、回路スキューの発生も抑制することができる。
【００４８】
また、構成がシンプルになることにより、消費電力の低減も可能である。さらに、出力データＲｅ（Ｓ）及びＩｍ（Ｓ）が、送信データＩ，Ｑ或はこれらに負の符号がついたものとなるので、ビット数の削減になり、後段のフィルタ等の回路規模を小さくできるという効果も期待できる。
【００４９】
尚、マッピング回路３０６は、複素信号Ｓ（ｉ）の位相を＋４５°回転させた複素信号Ｓ（１＋ｊ）から導かれる出力データＲｅ（Ｓ），Ｉｍ（Ｓ）を出力してもよい。
【００５０】
図７は、複素信号Ｓ（ｉ）の位相を＋４５°回転させた場合の出力データのレベルを示す図であり、図４に対応する図である。
この場合の出力データＲｅ（Ｓ），Ｉｍ（Ｓ）のレベルは、積信号Ｃ１Ｗ０及び積信号Ｃ２’Ｗ１のレベルに対して、図７にＲｅ（Ｓ），Ｉｍ（Ｓ）として示すレベルとなる。
【００５１】
なお、本発明は上記実施形態に限定されず、種々の変形が可能である。
拡散変調は、送信側と同じ拡散変調処理を受信側で受信データに施すことにより、ベースバンドデータが復調できることが知られている。よって、第１の実施形態及び第２の実施形態の拡散変調回路２００，３００を受信側に用い、これらを逆拡散変調回路とすることができる。この場合、逆拡散変調回路に入力されるデータＩ，Ｑが、拡散変調された受信データになる。
【００５２】
また、上記第１及び第２の実施形態では、複素信号Ｓ（ｉ）の位相を±４５°，回転させた複素信号Ｓ（１±ｊ）から導かれるレベルを、出力データＲｅ（Ｓ），Ｉｍ（Ｓ）のレベルに設定した場合を説明しているが、これに限定される必要はない。複素信号Ｓ（ｉ）の位相を±４５ｎ°（ｎは、正の奇数を示す）回転させて得られる複素信号に基づいて、出力データＲｅ（Ｓ），Ｉｍ（Ｓ）のレベルを設定することにより、上記実施形態と同様の効果が得られる。
【図面の簡単な説明】
【００５３】
【図１】本発明の第１の実施形態に係る拡散変調回路を示す図である。
【図２】複素信号Ｓ(１―ｊ）のｍ・ｃｏｓθ、ｍ・ｓｉｎθ、θ及びｍの値を示す図である。
【図３】複素乗算した結果の複素信号Ｓｓｐのとる値の説明図である。
【図４】複素信号Ｓ（ｉ）の位相を＋４５°回転させた場合の出力データのレベルを示す図である。
【図５】本発明の第２の実施形態に係る拡散変調回路を示す図である。
【図６】複素乗算した結果の複素信号Ｓｓｐのとる値の説明図である。
【図７】複素信号Ｓ（ｉ）の位相を＋４５°回転させた場合の出力データのレベルを示す図である。
【図８】Ｗ−ＣＤＭＡ方式の移動体通信端末の送信信号処理系の概要を示す構成図である。
【図９】図８中の拡散変調回路を示す図である。
【図１０】従来の周波数拡散変調回路を示す構成図である。
【図１１】従来の他の周波数拡散変調回路を示す構成図である。
【符号の説明】
【００５４】
２００，３００      拡散変調回路
２０１，３０１      スクランブリングコード発生回路
２０４，３０３      間引回路
２０６，３０５      マッピング回路
【図１】
2008301439.tif 000003
【図２】
2008301439.tif 000004
【図３】
2008301439.tif 000005
【図４】
2008301439.tif 000006
【図５】
2008301439.tif 000007
【図６】
2008301439.tif 000008
【図７】
2008301439.tif 000009
【図８】
2008301439.tif 000010
【図９】
2008301439.tif 000011
【図１０】
2008301439.tif 000012
【図１１】
2008301439.tif 000013